(57)【特許請求の範囲】
【請求項１】
互いに交差する複数のドライブ線及び複数の走査線と、前記ドライブ線及び前記走査線による複数の交差位置各々にて前記走査線及び前記ドライブ線間に接続された極性を有し発光色の違いで複数種類に分けられる複数の容量性発光素子とからなり、同一の前記ドライブ線上には同種類の前記容量性発光素子が配置された多色発光表示パネルの駆動装置であって、
入力画像データの走査タイミングに応じて前記複数の走査線のうちから１の走査線を選択する走査期間とそれに続くリセット期間とを繰り返し設定し、前記走査期間に前記入力画像データに応じて前記１の走査線上の発光させるべき容量性発光素子に対応する現駆動ドライブ線を指定する制御手段と、
前記走査期間に前記１の走査線に第１電位を印加しかつ前記１の走査線以外の走査線に前記第１電位より高い第２電位を印加し、前記リセット期間に前記第１電位を全ての走査線に印加する走査手段と、
前記走査期間に発光閾値電圧以上の正電圧を前記発光させるべき容量性発光素子に順方向に印加するために前記現駆動ドライブ線に駆動電流を供給し、前記リセット期間にはその次の走査期間に発光させるべき容量性発光素子に前記発光閾値電圧以下のオフセット電圧を印加するために次期駆動ドライブ線に第３電位を供給するドライブ手段と、
操作入力に応じて発光色各々の輝度の段階を示す輝度データを出力する操作入力手段と、
前記輝度データに応じて発光色各々に対応した種類の前記容量性発光素子の前記駆動電流及び両端電圧の各レベルを予め定められたデータに基づいて設定する設定手段と、
前記設定手段によって設定されたレベルに前記駆動電流を調整する第１調整手段と、
現在の前記第２電位と前記設定手段によって前記容量性発光素子の種類に対応させて設定された前記両端電圧とのレベル差を前記第３電位として各々設定する算出手段と、
前記容量性発光素子の種類毎に前記算出手段によって算出された前記第３電位のレベル各々が所定の許容範囲内にあるか否かを各々判別する判別手段と、
前記容量性発光素子の種類毎に前記算出手段によって算出された前記第３電位のレベル各々が所定の許容範囲内にある場合にはそのレベルに前記第３電位を調整し、算出された前記第３電位のレベルのうちの少なくとも１が所定の許容範囲内にない場合には発光色毎に前記第３電位のレベル各々が所定の許容範囲内になるように前記第２電位及び前記第３電位の各レベルを調整する第２調整手段と、を備えたことを特徴とする多色発光表示パネルの駆動装置。
【請求項２】
前記第２調整手段は、算出された前記第３電位のレベルのうちの少なくとも１が所定の許容範囲内にない場合には前記設定手段によって前記容量性発光素子の種類毎に設定された前記両端電圧のうちの２番目に高い電圧レベルを前記第２電位のレベルとして設定することを特徴とする請求項１記載の多色発光表示パネルの駆動装置。
【請求項３】
前記第２調整手段は、算出された前記第３電位のレベルのうちの少なくとも１が所定の許容範囲内にない場合には前記設定手段によって前記容量性発光素子の種類毎に設定された前記両端電圧のうちの最も高い電圧レベルと最も低い電圧レベルとの中間レベルを前記第２電位のレベルとして設定することを特徴とする請求項１記載の多色発光表示パネルの駆動装置。
【請求項４】
前記所定の許容範囲の上限は前記発光閾値電圧であることを特徴とする請求項１記載の多色発光表示パネルの駆動装置。
【請求項５】
前記容量性発光素子は有機エレクトロルミネッセンス素子であることを特徴とする請求項１記載の多色発光表示パネルの駆動装置。
【発明の詳細な説明】
【０００１】
【発明が属する技術分野】
本発明は、有機エレクトロルミネッセンス素子等の容量性発光素子を用いた多色発光表示パネルの駆動装置に関する。
【０００２】
【従来の技術】
近年、表示装置の大型化に伴い、薄型の表示装置が要求され、各種の薄型表示装置が実用化されている。有機エレクトロルミネッセンス素子の複数をマトリクス状に配列して構成されるエレクトロルミネッセンスディスプレイ装置は、かかる薄型表示装置の１つとして着目されている。
【０００３】
有機エレクトロルミネッセンス素子は、図１に示すように、透明電極１０１が形成されたガラス板などの透明基板１００上に、電子輸送層、発光層、正孔輸送層などからなる少なくとも１層の有機機能層１０２、及び金属電極１０３が積層されたものである。透明電極１０１の陽極にプラス、金属電極１０３の陰極にマイナスの電圧を加え、すなわち、透明電極及び金属電極間に直流を印加することにより、有機機能層１０２が発光する。良好な発光特性を期待することのできる有機化合物を有機機能層に使用することによって、エレクトロルミネッセンスディスプレイが実用に耐えうるものになっている。
【０００４】
有機エレクトロルミネッセンス素子（以下、単にＥＬ素子という）は、電気的には、図２のような等価回路にて表すことができる。図から分かるように、ＥＬ素子は、容量成分Ｃと、該容量成分に並列に結合するダイオード特性の成分Ｅとによる構成に置き換えることができる。よって、ＥＬ素子は、容量性の発光素子であると考えられる。ＥＬ素子は、直流の発光駆動電圧が電極間に印加されると、電荷が容量成分Ｃに蓄積され、続いて当該素子固有の障壁電圧または発光閾値電圧を越えると、電極（ダイオード成分Ｅの陽極側）から発光層を担う有機機能層に電流が流れ始め、この電流に比例した強度で発光する。
【０００５】
かかるＥＬ素子の電圧Ｖ−電流Ｉ−輝度Ｌの特性は、図３に示すように、ダイオードの特性に類似しており、発光閾値電圧Ｖth以下の電圧では電流Ｉは極めて小さく、発光閾値電圧Ｖth以上の電圧になると電流Ｉは急激に増加する。また、電流Ｉと輝度Ｌはほぼ比例する。このようなＥＬ素子は、発光閾値電圧Ｖthを超える駆動電圧をＥＬ素子に印加すれば当該駆動電圧に応じた電流に比例した発光輝度を呈し、印加される駆動電圧が発光閾値電圧Ｖth以下であれば駆動電流が流れず発光輝度もゼロに等しいままである。
【０００６】
かかるＥＬ素子の複数を用いた発光表示パネルの駆動方法としては、単純マトリクス駆動方式が知られている。図４に多色発光表示パネルの単純マトリクス駆動方式の駆動装置の一例の構造を示す。発光表示パネルにおいては、ｎ個の陰極線（金属電極）Ｂ1〜Ｂnが横方向に、ｍ個の陽極線（透明電極）Ａ1R，Ａ1G，Ａ1B〜ＡmR，ＡmG，ＡmBが縦方向に平行に設けられ、各々の交差した部分（計ｎ×ｍ個）にＥＬ素子Ｅ1R,1，Ｅ1G,1，Ｅ1B,1〜ＥmR,n，ＥmG,n，ＥmB,nが形成されている。ＥＬ素子Ｅ1R,1〜ＥmR,nが赤色発光をなし、ＥＬ素子Ｅ1G,1〜ＥmG,nが緑色発光をなし、ＥＬ素子Ｅ1B,1〜ＥmB,nが青色発光をなす。各陰極線において連続する赤色、緑色、青色の３原色各々の３つのＥＬ素子（例えば、Ｅ1R,1，Ｅ1G,1，Ｅ1B,1）で１画素を形成する。ＥＬ素子Ｅ1R,1，Ｅ1G,1，Ｅ1B,1〜ＥmR,n，ＥmG,n，ＥmB,nは、格子状に配列され、垂直方向に沿う陽極線Ａ1R，Ａ1G，Ａ1B〜ＡmR，ＡmG，ＡmBと水平方向に沿う陰極線Ｂ1 〜Ｂnとの交差位置に対応して一端（上記の等価回路のダイオード成分Ｅの陽極線側）が陽極線に接続され、他端（上記の等価回路のダイオード成分Ｅの陰極線側）が陰極線に接続されている。陰極線は陰極線走査回路１に接続され、陽極線は陽極線ドライブ回路２及び陽極線リセット回路３に接続されている。
【０００７】
陰極線走査回路１は、各陰極線の電位を個別に定める陰極線Ｂ1 〜Ｂnに対応する走査スイッチ５1 〜５nを有し、各々が、逆バイアス電圧となる正電位Ｖcc及びアース電位（０Ｖ）のうちのいずれか一方の電位を、対応する陰極線に中継供給する。
陽極線ドライブ回路２は、各陽極線を通じて駆動電流をＥＬ素子個々に供給する陽極線Ａ1R，Ａ1G，Ａ1B〜ＡmR，ＡmG，ＡmBに対応した電流源２1R，２1G，２1B〜２mR，２mG，２mB（例えば定電流源）及びドライブスイッチ６1R，６1G，６1B〜６mR，６mG，６mBを有し、ドライブスイッチが電流を個々に陽極線に流すオンオフ制御するように構成される。駆動源は定電圧源等の電圧源を用いることも可能であるが、上述した電流−輝度特性が温度変化に対して安定しているのに対し電圧−輝度特性が温度変化に対して不安定であること等の理由により、電流源（供給電流量が所望の値となるように制御される電源回路）を用いるのが一般的である。電流源２1R，２1G，２1B〜２mR，２mG，２mBの供給電流量は、ＥＬ素子が所望の瞬時輝度で発光する状態（以下、この状態を定常発光状態と称する。）を維持するために必要な電流量とされる。また、ＥＬ素子が発光状態にある時は、上述したＥＬ素子の容量成分Ｃには供給電流量に応じた電荷が充電されているため、ＥＬ素子の両端電圧は瞬時輝度に対応した規定値Ｖｅ（以下、これを発光規定電圧と称する。）となる。
【０００８】
陽極線リセット回路３は、陽極線毎に設けられたシャントスイッチ７1R，７1G，７1B〜７mR，７mG，７mBを有し、該シャントスイッチが選択されることによって陽極線をアース電位に設定する。
陰極線走査回路１、陽極線ドライブ回路２及び陽極線リセット回路３は発光制御回路４に接続される。
【０００９】
発光制御回路４は、図示せぬ画像データ発生系から供給された画像データに応じて当該画像データが担う画像を表示させるべく陰極線走査回路１、陽極線ドライブ回路２及び陽極線リセット回路３を制御する。発光制御回路４は、陰極線走査回路１に対して、走査線選択制御信号を発生し、陰極線Ｂ1 〜Ｂnのうちの画像データの水平走査期間に対応する１の陰極線を選択してアース電位に設定し、その他の陰極線は正電位Ｖccが印加されるように走査スイッチ５1 〜５n を切り換える制御を行う。正電位Ｖccは、ドライブされている陽極線と走査選択がされていない陰極線との交点に接続されたＥＬ素子がクロストーク発光することを防止するために、陰極線に接続される定電圧源によって印加されるものであり、正電位Ｖcc＝Ｖeと設定されている。走査スイッチ５1 〜５n が水平走査期間毎に順次アース電位に切り換えられるので、アース電位に設定された陰極線は、その陰極線に接続されたＥＬ素子を発光可能とする走査線として機能することとなる。
【００１０】
陽極線ドライブ回路２は、かかる走査線に対して発光制御を行う。発光制御回路４は、画像データが示す画素カラー情報に従って当該走査線に接続されているＥＬ素子のいずれをどのタイミングでどの程度の時間に亘って発光させるかについてを示すドライブ制御信号（駆動パルス）を発生し、陽極線ドライブ回路２に供給する。陽極線ドライブ回路２は、このドライブ制御信号に応じて、ドライブスイッチ６1R，６1G，６1B〜６mR，６mG，６mBのいずれかをオンとし、陽極線Ａ1R，Ａ1G，Ａ1B〜ＡmR，ＡmG，ＡmBを通じて該当ＥＬ素子への駆動電流の供給をなす。これにより、駆動電流の供給されたＥＬ素子は、当該画素カラー情報に応じた発光をなすこととなる。１画素分のＥＬ素子各々の発光輝度、すなわち発光期間内の発光時間によって任意のカラーが得られる。
【００１１】
陽極線リセット回路３のリセット動作は、発光制御回路４からのリセット制御信号に応じて行われる。陽極線リセット回路３は、リセット制御信号が示すリセット対象の陽極線に対応するシャントスイッチ７1R，７1G，７1B〜７mR，７mG，７mBのいずれかをオンしそれ以外はオフとする。
本願と同一の出願人による特開平９−２３２０７４号公報には、単純マトリクス表示パネルにおける、走査線を切り換える直前に格子状に配された各ＥＬ素子の蓄積電荷を放出させるリセット動作を行う駆動法（以下、リセット駆動法と呼ぶ）が開示されている。このリセット駆動法は、走査線を切り換えた際のＥＬ素子の発光立上りを早めるものである。この単純マトリクス表示パネルのリセット駆動法について図４〜図６を参照して説明する。
【００１２】
なお、以下に述べる図４〜図６に示す動作は、陰極線Ｂ1 を走査してＥＬ素子Ｅ1R,1，Ｅ1G,1，Ｅ1B,1を光らせた後、陰極線Ｂ2 に走査を移してＥＬ素子Ｅ2R,2，Ｅ2G,2，Ｅ2B,2を光らせる場合を例に挙げたものである。また、説明を分かり易くするために、光っているＥＬ素子はダイオード記号にて示され、光っていない発光素子はコンデンサ記号にて示される。また、陰極線Ｂ1 〜Ｂn に印加される正電位Ｖcc は、ＥＬ素子の発光規定電圧Ｖｅに等しい電位とされている。
【００１３】
先ず、図４においては、走査スイッチ５1のみが０(Ｖ)のアース電位側に切り換えられ、陰極線Ｂ1 が走査されている。他の陰極線Ｂ2 〜Ｂn には、走査スイッチ５2 〜５n により正電位Ｖccが印加されている。同時に、陽極線Ａ1R，Ａ1G，Ａ1Bには、ドライブスイッチ６1R，６1G，６1Bによって電流源２1R，２1G，２1Bが接続されている。また、他の陽極線Ａ2R，Ａ2G，Ａ2B 〜ＡmR，ＡmG，ＡmBには、シャントスイッチ７2R，７2G，７2B 〜７mR，７mG，７mBによって０(Ｖ)のアース電位側に切り換えらている。よって、図４の場合、ＥＬ素子Ｅ1R,1，Ｅ1G,1，Ｅ1B,1のみが順方向に電圧が印加され、電流源２1R，２1G，２1Bから矢印のように駆動電流が流れ込み、ＥＬ素子Ｅ1R,1，Ｅ1G,1，Ｅ1B,1のみが発光することとなる。この状態においては、ハッチングして示される非発光のＥＬ素子Ｅ2R,2，Ｅ2G,2，Ｅ2B,2〜ＥmR,n，ＥmG,n，ＥmB,nは、それぞれ図示の如き極性に充電されることとなる。
【００１４】
この図４の発光状態から、次のＥＬ素子Ｅ2R,2，Ｅ2G,2，Ｅ2B,2の発光をなす状態に走査を移行する直前に、以下のようなリセット制御が行われる。すなわち、図５に示すように全てのドライブスイッチ６1R，６1G，６1B〜６mR，６mG，６mBが開放されると共に、全ての走査スイッチ５1 〜５n と全てのシャントスイッチ７1R，７1G，７1B〜７mR，７mG，７mBとが０(Ｖ)のアース電位側に切り換えられ、陽極線Ａ1R，Ａ1G，Ａ1B〜ＡmR，ＡmG，ＡmBと陰極線Ｂ1 〜Ｂnとが一旦０(Ｖ)のアース電位側に等しくされてオールリセットが掛けられる。このオールリセットが行われると、陽極線と陰極線の全てが０(Ｖ)の同電位となるので、各ＥＬ素子に充電されていた電荷は放電し、全てのＥＬ素子の充電電荷が瞬時のうちに無くなる。
【００１５】
このようにして全てのＥＬ素子の充電電荷をゼロにした後、今度は図６に示すように、陰極線Ｂ2 に対応する走査スイッチ５2 のみを０(Ｖ)側に切り換え、陰極線Ｂ2 の走査を行う。これと同時に、ドライブスイッチ６2R，６2G，６2Bを閉じて電流源２2R，２2G，２2Bを対応の陽極線Ａ2R，Ａ2G，Ａ2Bに接続せしめるとともに、シャントスイッチ７1R，７1G，７1B ，７3R，７3G，７3B 〜７mR，７mG，７mBをオンとし、陽極線Ａ1R，Ａ1G，Ａ1B ，Ａ3R，Ａ3G，Ａ3B 〜ＡmR，ＡmG，ＡmBに０(Ｖ)を与える。よって、図６の場合、ＥＬ素子Ｅ2R,2，Ｅ2G,2，Ｅ2B,2のみに順方向に電圧が印加され、電流源２2R，２2G，２2Bから矢印のように駆動電流が流れ込み、ＥＬ素子Ｅ2R,2，Ｅ2G,2，Ｅ2B,2のみが発光することとなる。
【００１６】
このように、上記リセット駆動法の発光制御は、陰極線Ｂ1 〜Ｂn のうちのいずれかをアクティブにする期間である走査モードと、これに後続するリセットモードとの繰り返しである。かかる走査モードとリセットモードは、画像データの１水平走査期間（１Ｈ）毎に行われる。仮にリセット制御をせずに、図４の状態から図６の状態に直接移行したとすると、例えば、電流源２2R，２2G，２2Bから供給される駆動電流は、ＥＬ素子Ｅ2R,2，Ｅ2G,2，Ｅ2B,2に流れ込むだけではなく、ＥＬ素子Ｅ2R,3〜Ｅ2R,n，Ｅ2G,3〜Ｅ2G,n，Ｅ2B,3〜Ｅ2B,nに充電された逆方向電荷（図４に図示）のキャンセルにも費やされるため、ＥＬ素子Ｅ2R,2，Ｅ2G,2，Ｅ2B,2を発光状態にする（ＥＬ素子Ｅ2R,2，Ｅ2G,2，Ｅ2B,2の両端電圧を発光規定電圧Ｖｅにする）には時間を要することとなる。
【００１７】
しかしながら、上述したリセット制御を行うと、陰極線Ｂ2の走査に切り換わった瞬間において、陽極線Ａ2R，Ａ2G，Ａ2Bの電位は約Ｖccとなるため、次に発光させるべきＥＬ素子Ｅ2R,2，Ｅ2G,2，Ｅ2B,2には、電流源２2R，２2G，２2Bだけではなく陰極線Ｂ1、Ｂ3〜Ｂnに接続された定電圧源からの複数のルートからも充電電流が図６に示すように流れ込み、この充電電流によって寄生容量（上記の容量成分Ｃ）が充電されて発光規定電圧Ｖｅまで達し発光状態に移行できる。その後、陰極線Ｂ2の走査期間内においては上述したように電流源から供給される電流量はＥＬ素子が発光規定電圧Ｖｅでの発光状態を維持できるだけの電流量とされているので、電流源２2R，２2G，２2Bから供給される電流はＥＬ素子Ｅ2R,2，Ｅ2G,2，Ｅ2B,2のみに流れ込み、すべてが発光に費やされ、図６に示した発光状態を持続する。
【００１８】
以上述べたように、リセット駆動法によれば、次の走査線の発光制御に移行する前に、陰極線と陽極線の全てが一旦アース電位である０(Ｖ)又は正電位Ｖcc の同電位に接続されてリセットされるので、次の走査線に切り換えられた際に、発光規定電圧Ｖｅまでの充電を速くし、切り換えられた走査線上の発光すべきＥＬ素子の発光の立上りを早くすることができる。
【００１９】
【発明が解決しようとする課題】
ところが、赤色、緑色、青色用のＥＬ素子においては、発光材料を含む素子構造が各々異なっているので、輝度Ｉ−電圧Ｖ特性も互いに異なっている場合がほとんどである。よって、１画素を形成するＥＬ素子が全て発光してその画素の表示が白となるときに各ＥＬ素子の両端に印加される電圧も互いに異なるので、発光規定電圧Ｖｅは赤色、緑色、青色用のＥＬ素子毎に異なることが普通である。それ故、上記したようにリセット制御によって赤色、緑色、青色用のＥＬ素子各々には逆バイアス電圧Ｖccが印加され、リセット制御後に次の走査の陰極線が選択されると、選択された陰極線上の発光されるべきＥＬ素子各々の両端電圧が赤色、緑色、青色毎の発光規定電圧Ｖｅに達するまでに時間差が生じ、発光規定電圧Ｖｅでの発光が同時に開始されないので、色ずれが生じるという問題点があった。
【００２０】
そこで、本発明の目的は、発光色が互いに異なる容量性発光素子各々の発光の立ち上がり特性の改善を図ることができる多色発光表示パネルの駆動装置を提供することである。
【００２１】
【課題を解決するための手段】
本発明の多色発光表示パネルの駆動装置は、互いに交差する複数のドライブ線及び複数の走査線と、ドライブ線及び走査線による複数の交差位置各々にて走査線及びドライブ線間に接続された極性を有し発光色の違いで複数種類に分けられる複数の容量性発光素子とからなり、同一のドライブ線上には同種類の容量性発光素子が配置された多色発光表示パネルの駆動装置であって、入力画像データの走査タイミングに応じて複数の走査線のうちから１の走査線を選択する走査期間とそれに続くリセット期間とを繰り返し設定し、走査期間に入力画像データに応じて１の走査線上の発光させるべき容量性発光素子に対応する現駆動ドライブ線を指定する制御手段と、走査期間に１の走査線に第１電位を印加しかつ１の走査線以外の走査線に第１電位より高い第２電位を印加し、リセット期間に第１電位を全ての走査線に印加する走査手段と、走査期間に発光閾値電圧以上の正電圧を発光させるべき容量性発光素子に順方向に印加するために現駆動ドライブ線に駆動電流を供給し、リセット期間にはその次の走査期間に発光させるべき容量性発光素子に発光閾値電圧以下のオフセット電圧を印加するために次期駆動ドライブ線に第３電位を供給するドライブ手段と、操作入力に応じて発光色各々の輝度の段階を示す輝度データを出力する操作入力手段と、輝度データに応じて発光色各々に対応した種類の容量性発光素子の駆動電流及び両端電圧の各レベルを予め定められたデータに基づいて設定する設定手段と、設定手段によって設定されたレベルに駆動電流を調整する第１調整手段と、現在の第２電位と設定手段によって容量性発光素子の種類に対応させて設定された両端電圧とのレベル差を第３電位として各々設定する算出手段と、容量性発光素子の種類毎に算出手段によって算出された第３電位のレベル各々が所定の許容範囲内にあるか否かを各々判別する判別手段と、容量性発光素子の種類毎に算出手段によって算出された第３電位のレベル各々が所定の許容範囲内にある場合にはそのレベルに第３電位を調整し、算出された第３電位のレベルのうちの少なくとも１が所定の許容範囲内にない場合には発光色毎に第３電位のレベル各々が所定の許容範囲内になるように第２電位及び第３電位の各レベルを調整する第２調整手段と、を備えたことを特徴としている。
【００２２】
かかる本発明によれば、色合い調整入力手段の操作によって得られた輝度データに応じて駆動電流を調整しかつ第３電位のレベル各々が所定の許容範囲内になるように第２電位及び第３電位の各レベルを調整するので、色合い調整等の発光輝度の調整を行った場合でも走査期間に発光色が異なる各々の容量性発光素子の両端電圧が所望の電圧に達するまでに変化する電圧を等しくすることができる故、発光色が互いに異なる容量性発光素子各々の発光の立ち上がり特性を良好なものにすることができる。
【００２３】
【発明の実施の形態】
以下、本発明の実施例を図面を参照しつつ詳細に説明する。
図７は本発明を容量性発光素子としてＥＬ素子を用いた多色発光表示パネルに適用したディスプレイ装置の概略的な構成を示している。このディスプレイ装置は、容量性発光表示パネル１１と、発光制御回路１２と、陰極線走査回路１３と、陽極線ドライブ回路１４とを有する。
【００２４】
発光表示パネル１１は、図８に示すように図４〜図６に示したものと同様に構成されている。すなわち、ドライブ線の陽極線Ａ1R，Ａ1G，Ａ1B〜ＡmR，ＡmG，ＡmB及び走査線の陰極線Ｂ1〜Ｂnの複数の交差位置にマトリクス状に配置され、複数のＥＬ素子Ｅ1R,1，Ｅ1G,1，Ｅ1B,1〜ＥmG,n，ＥmR,n，ＥmB,nは、陽極線Ａ1R，Ａ1G，Ａ1B〜ＡmR，ＡmG，ＡmB及び陰極線Ｂ1〜Ｂnの複数の交差位置各々にて陽極線と陰極線との間に接続されている。ＥＬ素子Ｅ1R,1〜ＥmR,nが赤色発光をなし、ＥＬ素子Ｅ1G,1〜ＥmG,nが緑色発光をなし、ＥＬ素子Ｅ1B,1〜ＥmB,nが青色発光をなす。各陰極線において連続する赤色(Ｒ)、緑色(Ｇ)、青色(Ｂ)の３つのＥＬ素子（例えば、Ｅ1R,1，Ｅ1G,1，Ｅ1B,1）で１画素を形成する。
【００２５】
表示パネル１１の陰極線Ｂ1 〜Ｂnには陰極線走査回路１３が接続され、陽極線Ａ1R，Ａ1G，Ａ1B〜ＡmR，ＡmG，ＡmBには陽極線ドライブ回路１４が接続されている。陰極線走査回路１３は陰極線Ｂ1〜Ｂn各々に対応して備えられた走査スイッチ１５1〜１５n及び可変電圧源２１1〜２１nを有している。走査スイッチ１５1〜１５n各々は対応する陰極線に対してアース電位及び可変電圧源２１1〜２１nからの逆バイアス電位Ｖccのいずれか一方の電位を供給する。可変電圧源２１1〜２１nは上記した逆バイアス電位Ｖccを得るために電圧を発生するものであり、発光制御回路１２によってその発生電圧Ｖccのレベルは制御される。可変電圧源２１1〜２１nの正側端子が走査スイッチ１５1〜１５nの一方の固定接点に接続され、負側端子はアース接続されている。走査スイッチ１５1 〜１５nが発光制御回路１２からの制御によって水平走査期間毎に順次アース電位に切り換えられるので、アース電位に設定された陰極線Ｂ1 〜Ｂnは、その陰極線に接続された素子を発光可能とする走査線として機能することとなる。
【００２６】
陽極線ドライブ回路１４は陽極線Ａ1R，Ａ1G，Ａ1B〜ＡmR，ＡmG，ＡmB各々に対応して備えられたドライブスイッチ１６1R，１６1G，１６1B〜１６mR，１６mG，１６mB、可変電流源１７1R，１７1G，１７1B〜１７mR，１７mG，１７mB及び可変電圧源１８1R，１８1G，１８1B〜１８mR，１８mG，１８mBを有している。ドライブスイッチ１６1R〜１６mR各々は対応する陽極線に対して可変電流源１７1R，１７1G，１７1B〜１７mR，１７mG，１７mBからの電流、可変電圧源１８1R，１８1G，１８1B〜１８mR，１８mG，１８mBからの電位及びアース電位のいずれか１を供給する。可変電圧源１８1R〜１８mRはオフセット電圧ＶRを出力し、可変電圧源１８1G〜１８mGはオフセット電圧ＶGを出力し、可変電圧源１８1B〜１８mBはオフセット電圧ＶBを出力する。可変電流源１７1R，１７1G，１７1B〜１７mR，１７mG，１７mB各々の電流値及び可変電圧源１８1R，１８1G，１８1B〜１８mR，１８mG，１８mB各々の電圧値は発光制御回路１２によって制御される。
【００２７】
発光制御回路１２は、画像データが示す画素カラー情報に従って走査線に接続されているＥＬ素子のどれをどのタイミングでどの程度の時間に亘って発光させるかについてを示すドライブ制御信号（駆動パルス）を発生し、陽極線ドライブ回路１４に供給する。陽極線ドライブ回路１４は、このドライブ制御信号に応じて、ドライブスイッチ１６1R，１６1G，１６1B〜１６mR，１６mG，１６mBのうちの発光対応するものを電流源側に切り換え制御し、陽極線Ａ1R，Ａ1G，Ａ1B〜ＡmR，ＡmG，ＡmBのうちの対応する陽極線（現駆動ドライブ線）を通じて画素情報に応じた該当素子への駆動電流ＩR，ＩG，ＩBの供給をなし、それ以外の陽極線に対してはドライブスイッチを介したアース電位の供給をなす。
【００２８】
発光制御回路１２にはデータ入力部１９及びメモリ２０が接続されている。データ入力部１９は発光表示パネル１１の赤色、緑色及び青色の輝度を調整するために操作可能にされており、赤色、緑色及び青色各々に対応した調整レバー（図示せず）のユーザによる操作位置に応じた色合い情報、すなわち、赤色、緑色及び青色各々の輝度データを発光制御回路１２に出力する。メモリ２０には後述するデータテーブル等の制御データが予め書き込まれている。
【００２９】
発光制御回路１２による発光表示パネル１１の発光制御動作を図９のフローチャートに基づいて説明する。
発光制御回路１２は、供給される画素データの１水平走査期間毎に発光制御ルーチンを実行する。発光制御ルーチンにおいては、先ず、１水平走査期間分の画素データを取り込み（ステップＳ１）、取り込んだ１水平走査期間分の画素データが示す画素情報に応じて走査選択制御信号及びドライブ制御信号を発生する（ステップＳ２）。
【００３０】
走査選択制御信号は陰極線走査回路１３に供給される。陰極線走査回路１３は走査選択制御信号が示す今回の水平走査期間に対応する陰極線Ｂ1 〜Ｂnのうちの１の陰極線をアース電位に設定するためにその１の陰極線に対応する走査スイッチ（１５1 〜１５nのうちの１の走査スイッチ１５S、なお、Ｓは１〜ｎのうちの１）をアース側に切り換える。その他の陰極線には逆バイアス電位として正電位Ｖccを印加するために走査スイッチ（１５1 〜１５nのうちの１の走査スイッチ１５i以外の全て）をアース側に切り換える。
【００３１】
ドライブ制御信号は陽極線ドライブ回路１４に供給される。陽極線ドライブ回路１４はドライブ制御信号が示す今回の水平走査期間内で陽極線Ａ1R，Ａ1G，Ａ1B〜ＡmR，ＡmG，ＡmBのうちの発光駆動すべき画素の素子を含む陽極線に対応するドライブスイッチ（１６1R，１６1G，１６1B〜１６mR，１６mG，１６mBのうちのいずれかのドライブスイッチ）を電流源（１７1R，１７1G，１７1B〜１７mR，１７mG，１７mBのうちの対応するもの）側に切り換える。その他の陽極線はアース側に切り換えられる。これにより、例えば、ドライブスイッチ１６1R，１６1G，１６1Bが電流源１７1R，１７1G，１７1B側に切り換えられた場合には電流源１７1Rからドライブスイッチ１６1R、陽極線Ａ1R、素子Ｅ1R,S、陰極線ＢS、走査スイッチ１５S、そしてアースへと駆動電流ＩRが流れ、電流源１７1Gからドライブスイッチ１６1G、陽極線Ａ1G、素子Ｅ1G,S、陰極線ＢS、走査スイッチ１５S、そしてアースへと駆動電流ＩGが流れ、電流源１７1Bからドライブスイッチ１６1B、陽極線Ａ1B、素子Ｅ1B,S、陰極線ＢS、走査スイッチ１５S、そしてアースへと駆動電流ＩBが流れる。駆動電流ＩR，ＩG，ＩBの供給されたＥＬ素子Ｅ1R,S，Ｅ1G,S，Ｅ1B,Sは、当該画素情報に応じた発光をなすこととなる。ＥＬ素子Ｅ1R,S，Ｅ1G,S，Ｅ1B,S各々の発光時間が画素カラー情報に応じて個別に設定されることによりＥＬ素子Ｅ1R,S，Ｅ1G,S，Ｅ1B,Sからなる画素が所望の色で表示される。
【００３２】
発光制御回路１２は、ステップＳ２の実行後、所定の時間が経過したか否かを判別する（ステップＳ３）。所定の時間は予め定められた水平走査期間に対応して設定されている。所定の時間が経過した場合には発光制御回路１２はリセット信号を生成する（ステップＳ４）。リセット信号は陰極線走査回路１３及び陽極線ドライブ回路１４に供給される。陰極線走査回路１３はリセット信号に応じて全ての走査スイッチ１５1 〜１５nの可動接点をアース側固定接点に切り換える。リセット信号は次の走査期間に発光駆動されるべきＥＬ素子に対応する陽極線（次期駆動ドライブ線）の指定を示す。陽極線ドライブ回路１４はリセット信号に応じて次の走査期間に発光駆動されるべきＥＬ素子に対応する陽極線に接続されたドライブスイッチの可動接点をオフセット電圧側固定接点に切り換える。これにより次の走査期間に発光駆動されるべきＥＬ素子にはオフセット電圧が印加される。すなわち、次の走査期間に発光駆動されるべき赤色発光用のＥＬ素子にはオフセット電圧ＶRが印加され、緑色発光用のＥＬ素子にはオフセット電圧ＶGが印加され、青色発光用のＥＬ素子にはオフセット電圧ＶBが印加される。これにより、次の走査期間に発光駆動されるべきＥＬ素子各々の容量成分は充電されることになる。
【００３３】
発光制御回路１２はステップＳ４の実行を終了すると、発光制御ルーチンを終了し、次の水平走査期間が開始されるまで待機することになる。この次の水平走査期間が開始されるまで間においてもステップＳ４によるリセット動作が継続される。次の水平走査期間が開始されると、上記のステップＳ１〜Ｓ４の動作が繰り返される。
【００３４】
かかる発光制御回路１２の発光制御動作によって陰極線Ｂ1 を走査して１画素分のＥＬ素子Ｅ1R,1，Ｅ1G,1，Ｅ1B,1を光らせた後、陰極線Ｂ2 に走査を移して１画素分のＥＬ素子Ｅ2R,2，Ｅ2G,2，Ｅ2B,2を光らせる場合について図１１〜図１３を参照しつつ説明する。また、図１１〜図１３においては図３及び図５の場合と同様に説明を分かり易くするために、発光している素子は発光ダイオード記号にて示され、非発光の発光素子はコンデンサ記号にて示される。
【００３５】
先ず、図１０は、走査スイッチ１５1のみが０(Ｖ)のアース電位側に切り換えられ、陰極線Ｂ1 が走査選択されている走査期間において、発光すべき素子Ｅ1R,1，Ｅ1G,1，Ｅ1B,1が定常発光状態で発光する動作状態を示している。他の陰極線Ｂ2 〜Ｂn には、走査スイッチ１５2 〜１５n により正電位Ｖccが印加されている。同時に、陽極線Ａ1R，Ａ1G，Ａ1Bには、ドライブスイッチ１６1R，１６1G，１６1Bによって可変電流源１７1R，１７1G，１７1Bが接続されている。また、他の陽極線Ａ2R，Ａ2G，Ａ2B 〜ＡmR，ＡmG，ＡmBには、ドライブスイッチ１６2R，１６2G，１６2B 〜１６mR，１６mG，１６mBによって０(Ｖ)のアース電位側に切り換えらている。よって、図１０の場合、ＥＬ素子Ｅ1R,1，Ｅ1G,1，Ｅ1B,1のみが順方向に電圧が印加され、可変電流源１７1R，１７1G，１７1Bから矢印のように駆動電流ＩR，ＩG，ＩBが流れ込み、ＥＬ素子Ｅ1R,1，Ｅ1G,1，Ｅ1B,1のみが発光することとなる。
【００３６】
この状態においては、ハッチングして示される非発光のＥＬ素子Ｅ2R,2，Ｅ2G,2，Ｅ2B,2〜ＥmR,n，ＥmG,n，ＥmB,n各々の両端子間には電圧Ｖccが印加され、それらの容量成分は図示の如き順方向とは逆極性にて充電されることとなる。また、非発光のＥＬ素子Ｅ1R,2，Ｅ1G,2，Ｅ1B,2〜Ｅ1R,n，Ｅ1G,n，Ｅ1B,nのうちのＥＬ素子Ｅ1R,2〜Ｅ1R,nが接続される陽極線Ａ1Rの電位はＶｅRであり、ＥＬ素子Ｅ1R,2〜Ｅ1R,nの陰極Ｂ2〜Ｂnには電位Ｖccが印加される。従って、ＥＬ素子Ｅ1R,2〜Ｅ1R,nには順方向に電圧ＶｅR−Ｖccが印加され、その容量成分が充電されることとなる。ＥＬ素子Ｅ1G,2〜Ｅ1G,nが接続される陽極線Ａ1Gの電位はＶｅGであり、ＥＬ素子Ｅ1G,2〜Ｅ1G,nの陰極Ｂ2〜Ｂnには電位Ｖccが印加される。従って、ＥＬ素子Ｅ1G,2〜Ｅ1G,nには電圧ＶｅG−Ｖcc＝０が印加され、その容量成分は充電されない。ＥＬ素子Ｅ1B,2〜Ｅ1B,nが接続される陽極線Ａ1Bの電位はＶｅBであり、ＥＬ素子Ｅ1B,2〜Ｅ1B,nの陰極Ｂ2〜Ｂnには電位Ｖccが印加される。従って、ＥＬ素子Ｅ1B,2〜Ｅ1B,nには逆方向に電圧Ｖcc−ＶｅBが印加され、その容量成分が充電されることとなる。
【００３７】
この図１０の発光状態から、次のＥＬ素子Ｅ2R,2，Ｅ2G,2，Ｅ2B,2の発光をなす状態に走査を移行する直前に、上記したステップＳ４によるリセット制御が行われるリセット期間となる。すなわち、図１１に示すようにＥＬ素子Ｅ2R,2，Ｅ2G,2，Ｅ2B,2に対応するドライブスイッチ１６2R，１６2G，１６2B以外のドライブスイッチ１６1R，１６1G，１６1B及び１６3R，１６3G，１６3B〜１６mR，１６mG，１６mBがアース電位側に切り換えられると共に、全ての走査スイッチ１５1 〜１５n がアース電位側に切り換え、陽極線Ａ1R，Ａ1G，Ａ1B及びＡ3R，Ａ3G，Ａ3B〜ＡmR，ＡmG，ＡmBと陰極線Ｂ1 〜Ｂn とが一旦０(Ｖ)のアース電位側に等しくされる。これにより、ＥＬ素子Ｅ1R,1〜Ｅ1R,n、Ｅ1G,1〜Ｅ1G,n、Ｅ1B,1〜Ｅ1B,n及びＥ3R,1，Ｅ3G,1，Ｅ3B,1〜ＥmR,n，ＥmG,n，ＥmB,nのリセットが掛けられ、それらＥＬ素子の陽極と陰極との間が０(Ｖ)の同電位となるので、それら各ＥＬ素子に充電されていた電荷は放電し、それら全てのＥＬ素子の充電電荷が瞬時のうちに放電されて無くなる。ＥＬ素子Ｅ1G,2〜Ｅ1G,nについても陽極と陰極との間が０(Ｖ)の同電位となるが、ＥＬ素子Ｅ1R,1，Ｅ1G,1，Ｅ1B,1の発光時にはそれらは充電されておらず、蓄電電荷がないので、放電されることはない。
【００３８】
リセット制御によってドライブスイッチ１６2R，１６2G，１６2Bは可変電流源１８2R，１８2G，１８2B側に切り換えられる。よって、可変電流源１８2Rの正電位ＶRがドライブスイッチ１６2R、そして陽極線Ａ2Rを介して赤色発光用のＥＬ素子Ｅ2R,1〜Ｅ2R,nの陽極各々に印加され、可変電流源１８2Gの正電位ＶGがドライブスイッチ１６2G、そして陽極線Ａ2Gを介して緑色発光用のＥＬ素子Ｅ2G,1〜Ｅ2G,n各々の陽極に印加され、可変電流源１８2Bの正電位ＶBがドライブスイッチ１６2B、そして陽極線Ａ2Bを介して青色発光用のＥＬ素子Ｅ2B,1〜Ｅ2B,nの陽極に印加される。ＥＬ素子Ｅ2R,1，Ｅ2G,1，Ｅ2B,1〜Ｅ2R,n，Ｅ2G,n，Ｅ2B,n各々の陰極は対応する走査スイッチ１５1〜１５nを介してアース電位にされているので、赤色発光用のＥＬ素子Ｅ2R,1〜Ｅ2R,nの陽極と陰極との間にはオフセット電圧ＶRが印加され、緑色発光用のＥＬ素子Ｅ2G,1〜Ｅ2G,nの陽極と陰極との間にはオフセット電圧ＶGが印加され、青色発光用のＥＬ素子Ｅ2B,1〜Ｅ2B,nの陽極と陰極との間にはオフセット電圧ＶBが印加される。ここで、オフセット電圧ＶR，ＶG，ＶBの初期値ではＶR＞０(Ｖ)，ＶG＝０(Ｖ)，ＶB＜０(Ｖ)ならば、図１０に示したように、赤色発光用のＥＬ素子Ｅ2R,1〜Ｅ2R,nの容量成分は順方向の極性にて充電され、緑色発光用のＥＬ素子Ｅ2G,1〜Ｅ2G,nの容量成分は充電されず、青色発光用のＥＬ素子Ｅ2B,1〜Ｅ2B,nの容量成分は順方向とは逆極性にて充電される。
【００３９】
このようにして全てのＥＬ素子Ｅ1R,1，Ｅ1G,1，Ｅ1B,1〜Ｅ1R,n，Ｅ1G,n，Ｅ1B,n及びＥ3R,1，Ｅ3G,1，Ｅ3B,1〜ＥmR,n，ＥmG,n，ＥmB,nの蓄電電荷をゼロにし、ＥＬ素子Ｅ2R,1，Ｅ2G,1，Ｅ2B,1〜Ｅ2R,n，Ｅ2G,n，Ｅ2B,n各々の両端電圧をオフセット電圧ＶR，ＶG，ＶBに等しくさせた後、今度は次の走査期間となり図１２に示すように、陰極線Ｂ2 に対応する走査スイッチ１５2のみがアース電位側に切り換えられ、陰極線Ｂ2 の走査選択が行われる。これと同時に、ドライブスイッチ１６2R，１６2G，１６2Bが可変電流源側に切り換えられ、可変電流源１７2R，１７2G，１７2Bを対応の陽極線Ａ2R，Ａ2G，Ａ2Bに接続せしめる。
【００４０】
このように走査スイッチ及びドライブスイッチが切換えられた瞬間、すなわち、走査スイッチ及びドライブスイッチが 図１２に示されるように切換えられ、各ＥＬ素子の寄生容量の充電状態は図１１の状態のままである瞬間においては、陽極線Ａ2Rの電位は約Ｖcc＋ＶR（正確には、（ｎ−１)・(Ｖcc＋ＶR)／ｎである。）となるので、発光されるＥＬ素子Ｅ2R,2の両端電圧は瞬時に約Ｖcc＋ＶRになろうとする。よって、ＥＬ素子Ｅ2R,2には、可変電流源１７2R→ドライブスイッチ １６2R→陽極線Ａ2R→ＥＬ素子Ｅ2R,2→走査スイッチ１５2のルートのほかにも、走査スイッチ１５1→陰極線Ｂ1→ＥＬ素子Ｅ2R,1→陽極線Ａ2R→ＥＬ素子Ｅ2R,2→走査スイッチ１５2のルート、走査スイッチ１５3→陰極線Ｂ3→ＥＬ素子Ｅ2R,3→陽極線Ａ2R→ＥＬ素子Ｅ2R,2→走査スイッチ１５2のルート、……、走査スイッチ１５n→陰極線Ｂn→ＥＬ素子Ｅ2R,n→陽極線Ａ2R→ＥＬ素子Ｅ2R,2→走査スイッチ１５2のルート、の複数のルートからの充電電流が流れ込み、瞬時に急速充電される。この結果、ＥＬ素子Ｅ2R,2は、瞬時に定常発光状態となる。その後、Ｂ2の走査期間の間は、可変電流源１７2R→ドライブスイッチ１６2R→陽極線Ａ2R→ＥＬ素子Ｅ2R,2→走査スイッチ１５2のルートから流れ込む駆動電流によって、定常発光状態を持続する。
【００４１】
同様に、ＥＬ素子Ｅ2G,2は、走査スイッチ及びドライブスイッチが切換えられた瞬間においてその両端電圧が約Ｖcc（正確には、（ｎ−１)・Ｖcc／ｎである。）になろうとするので、ＥＬ素子Ｅ2G,2には、可変電流源１７2G→ドライブスイッチ１６2G→陽極線Ａ2G→ＥＬ素子Ｅ2G,2→走査スイッチ１５2のルートのほかにも、走査スイッチ１５1→陰極線Ｂ1→ＥＬ素子Ｅ2G,1→陽極線Ａ2G→ＥＬ素子Ｅ2G,2→走査スイッチ１５2のルート、走査スイッチ１５3→陰極線Ｂ3→ＥＬ素子Ｅ2G,3→陽極線Ａ2G→ＥＬ素子Ｅ2G,2→走査スイッチ１５2のルート、……、走査スイッチ１５n→陰極線Ｂn→ＥＬ素子Ｅ2G,n→陽極線Ａ2G→ＥＬ素子Ｅ2G,2→走査スイッチ１５2のルート、の複数のルートからの充電電流が流れ込み、瞬時に定常発光状態となる。その後Ｂ2の走査期間の間は、可変電流源１７2G→ドライブスイッチ１６2G→陽極線Ａ2G→ＥＬ素子Ｅ2G,2→走査スイッチ１５2のルートから流れ込む駆動電流によって、定常発光状態を持続する。
【００４２】
また同様に、ＥＬ素子Ｅ2B,2は、走査スイッチ及びドライブスイッチが切換えられた瞬間においてその両端電圧が約Ｖcc＋ＶB（正確には、（ｎ−１)・(Ｖcc＋ＶB)／ｎである。）になろうとするので、ＥＬ素子Ｅ2B,2には、可変電流源１７2B→ドライブスイッチ１６2B→陽極線Ａ2B→ＥＬ素子Ｅ2B,2→走査スイッチ１５2のルートのほかにも、走査スイッチ１５1→陰極線Ｂ1→ＥＬ素子Ｅ2B，１→陽極線Ａ2B→ＥＬ素子Ｅ2B,2→走査スイッチ１５2のルート、走査スイッチ１５3→陰極線Ｂ3→ＥＬ素子Ｅ2B,3→陽極線Ａ2B→ＥＬ素子Ｅ2B,2→走査スイッチ１５2のルート、……、走査スイッチ１５n→陰極線Ｂn→ＥＬ素子Ｅ2B,n→陽極線Ａ2B→ＥＬ素子Ｅ2B,2→走査スイッチ１５2のルート、の複数のルートからの充電電流が流れ込み、瞬時に定常発光となる。その後Ｂ2の走査期間の間は、可変電流源１７2B→ドライブスイッチ１６2B→陽極線Ａ2B→ＥＬ素子Ｅ2B,2→走査スイッチ１５2のルートから流れ込む駆動電流によって、定常発光状態を持続する。
【００４３】
このように、発光する各ＥＬ素子Ｅ2R,2、Ｅ2G,2、Ｅ2B,2は、走査の切換とほぼ同時に発光規定電圧ＶｅR、ＶｅG、ＶｅBに到達し定常発光状態となるので、各ＥＬ素子Ｅ2R,2、Ｅ2G,2、Ｅ2B,2からなる画素は色ずれのない所望の色が表示されることになる。
次に、発光制御回路１２による初期設定動作を図１３のフローチャートに基づいて説明する。
【００４４】
発光制御回路１２は初期設定のために初期設定ルーチンを処理する。初期設定ルーチンにおいては、図１３に示すように、走査期間内の全てに亘って駆動電流を供給する指令を発生し（ステップＳ３１）、その指令に応じて発光表示パネル１１の表示色が白色となるようにデータ入力部１９の調整をユーザに行わせ、そのときのデータ入力部１９から赤色、緑色及び青色毎の輝度データを読み取り（ステップＳ３２）、その読み取り輝度データに応じて駆動電流ＩR，ＩG，ＩBを求め（ステップＳ３３）、駆動電流ＩR，ＩG，ＩBに対応する赤色、緑色及び青色発光用のＥＬ素子の両端電圧ＶｅR，ＶｅG，ＶｅBを設定する（ステップＳ３４）。メモリ２０には輝度データに対応する駆動電流ＩR，ＩG，ＩB及び両端電圧ＶｅR，ＶｅG，ＶｅBのデータテーブルが赤色、緑色及び青色毎に形成されているので、そのデータテーブルを用いて駆動電流ＩR，ＩG，ＩB及び両端電圧ＶｅR，ＶｅG，ＶｅBが設定される。
【００４５】
発光制御回路１２はステップＳ３４にて設定した両端電圧ＶｅR，ＶｅG，ＶｅBに応じて逆バイアス電圧Ｖccを設定する（ステップＳ３５）。このステップＳ３５では、両端電圧ＶｅR，ＶｅG，ＶｅBの各電圧レベルを比較して２番目に高い電圧を逆バイアス電圧Ｖccとして設定する。両端電圧ＶｅR，ＶｅG，ＶｅBの大小関係が例えば、ＶｅR＞ＶｅG＞ＶｅBであるならば、ＶｅGの電圧レベルが逆バイアス電圧Ｖccとして設定される。また、ステップＳ３５では、両端電圧ＶｅR，ＶｅG，ＶｅBの各電圧レベルを比較して最も高い電圧と最も低い電圧との中間電圧を逆バイアス電圧Ｖccとして設定しても良い。両端電圧ＶｅR，ＶｅG，ＶｅBの大小関係が例えば、ＶｅR＞ＶｅG＞ＶｅBであるならば、(ＶｅR＋ＶｅB)／２の電圧レベルが逆バイアス電圧Ｖccとして設定される。
【００４６】
発光制御回路１２はステップＳ３５の実行後、オフセット電圧ＶR，ＶG，ＶBを算出する（ステップＳ３６）。オフセット電圧ＶR，ＶG，ＶBはＶR＝ＶｅR−Ｖcc，ＶG＝ＶｅG−Ｖcc，ＶB＝ＶｅB−Ｖccの如く算出される。ステップＳ３５の前者の逆バイアス電圧Ｖccの設定方法を用いた場合には両端電圧ＶｅR，ＶｅG，ＶｅBのうちの最も高い両端電圧に対応するオフセット電圧は正となり、次に高い両端電圧に対応するオフセット電圧は０(Ｖ)となり、最も低い両端電圧に対応するオフセット電圧は負となる。
【００４７】
発光制御回路１２はステップＳ３６の実行後、駆動電流ＩR，ＩG，ＩB、逆バイアス電圧Ｖcc及びオフセット電圧ＶR，ＶG，ＶBをメモリ２０に書き込んで記憶させる（ステップＳ３７）。
かかる初期設定動作においては、ステップＳ３４にて両端電圧ＶｅR，ＶｅG，ＶｅBが例えば、ＶｅR＝２２(Ｖ)，ＶｅG＝２０(Ｖ)，ＶｅB＝１８(Ｖ)と設定されたならば、ステップＳ３５では両端電圧ＶｅR，ＶｅG，ＶｅBの各電圧レベルを比較して２番目に高い電圧ＶｅG＝２０(Ｖ)が逆バイアス電圧Ｖccとして設定される。よって、ステップＳ３６ではオフセット電圧ＶR，ＶG，ＶBがＶR＝２(Ｖ)，ＶG＝０(Ｖ)，ＶB＝−２(Ｖ)と設定される。
【００４８】
なお、オフセット電圧の許容範囲は赤色、緑色及び青色毎に個別に設定されている。例えば、赤色の許容範囲ＶLLR〜ＶHLRは−５(Ｖ)〜３(Ｖ)、緑色の許容範囲ＶLLG〜ＶHLGは−５(Ｖ)〜２(Ｖ)、青色の許容範囲ＶLLB〜ＶHLBは−５(Ｖ)〜１(Ｖ)である。
発光制御回路１２は初期設定動作が終了すると、データ入力部１９をユーザが操作することにより明るさ調整ルーチン又は色合い調整ルーチンのいずれかを処理する。
【００４９】
発光制御回路１２はデータ入力部１９の明るさ調整レバー（図示せず）をユーザが操作したときにそのときの輝度データに応じて明るさ調整ルーチンを実行する。データ入力部１９の明るさ調整レバーは表示画面全体の輝度を調整するための操作子であり、これをユーザが操作することによりデータ入力部１９から出力される赤色、緑色及び青色各々の輝度データが同一輝度分だけ変化する。
【００５０】
明るさ調整ルーチンにおいて発光制御回路１２は、図１４に示すように先ず、色合いデータ入力部１９から出力された赤色、緑色及び青色各々の輝度データを読み取り（ステップＳ４１）、赤色、緑色及び青色各々の輝度データに対応する駆動電流ＩR，ＩG，ＩBをデータテーブル検索して設定し（ステップＳ４２）、更に、駆動電流ＩR，ＩG，ＩBに対応する赤色、緑色及び青色発光用のＥＬ素子の両端電圧ＶｅR，ＶｅG，ＶｅBをデータテーブル検索して設定する（ステップＳ４３）。ステップＳ４２及びＳ４３の動作はステップＳ３３及びＳ３４と同一である。なお、ステップＳ４２及びＳ４３で用いてるデータテーブルは図１５に示すように赤色、緑色及び青色毎に輝度データ（３２段階の輝度）に対応する駆動電流のデータＩr0〜Ｉr31，Ｉg0〜Ｉg31，Ｉb0〜Ｉb31及び両端電圧のデータＶer0〜Ｖer31，Ｖeg0〜Ｖeg31，Ｖeb0〜Ｖeb31が定められている。
【００５１】
発光制御回路１２は、メモリ２０に記憶された逆バイアス電圧Ｖccを読み出し（ステップＳ４４）、ステップＳ４３の両端電圧ＶｅR，ＶｅG，ＶｅBと読み出した逆バイアス電圧Ｖccとを用いてオフセット電圧ＶR，ＶG，ＶBを算出する（ステップＳ４５）。すなわち、オフセット電圧はＶR＝ＶｅR−Ｖcc，ＶG＝ＶｅG−Ｖcc，ＶB＝ＶｅB−Ｖccのように算出される。
【００５２】
発光制御回路１２は、算出した各オフセット電圧ＶR，ＶG，ＶBが所定の許容範囲内の電圧であるか否かを判別する（ステップＳ４６）。オフセット電圧はクロストーク発光しないように設定する必要があるので、赤色の許容範囲ＶLLR〜ＶHLR、緑色の許容範囲ＶLLG〜ＶHLG、青色の許容範囲ＶLLB〜ＶHLBに各々制限されている。各オフセット電圧ＶR，ＶG，ＶBが対応する所定の許容範囲ＶLLR〜ＶHLR，ＶLLG〜ＶHLG，ＶLLB〜ＶHLB内にあるならば、設定した駆動電流ＩR，ＩG，ＩBになるように可変電流源１７1R，１７1G，１７1B〜１７mR，１７mG，１７mBを制御し（ステップＳ４７）、また可変電圧源１８1R，１８1G，１８1B〜１８mR，１８mG，１８mBの出力電圧を設定したオフセット電圧ＶR，ＶG，ＶBになるように制御する（ステップＳ４８）。
【００５３】
ステップＳ４６において、オフセット電圧ＶR，ＶG，ＶBのいずれかが対応する所定の許容範囲ＶLLR〜ＶHLR，ＶLLG〜ＶHLG，ＶLLB〜ＶHLB内にないならば、各オフセット電圧ＶR，ＶG，ＶBが対応する所定の電圧範囲ＶLLR〜ＶHLR，ＶLLG〜ＶHLG，ＶLLB〜ＶHLB内の電圧になるように逆バイアス電圧Ｖcc及び各オフセット電圧ＶR，ＶG，ＶBを再設定する（ステップＳ４９）。このステップＳ４９による逆バイアス電圧Ｖccの再設定は上記のステップＳ３５の場合と同様の方法で行われ、各オフセット電圧ＶR，ＶG，ＶBの再設定はステップＳ３６の場合と同様の方法で行われる。
【００５４】
発光制御回路１２はステップＳ４９の実行後、可変電圧源２１1〜２１nの出力電圧を設定した逆バイアス電圧Ｖccになるように制御し（ステップＳ５０）、ステップＳ４７に進んで設定した駆動電流ＩR，ＩG，ＩBになるように可変電流源１７1R，１７1G，１７1B〜１７mR，１７mG，１７mBを制御し、その後、ステップＳ４８に進んで可変電圧源１８1R，１８1G，１８1B〜１８mR，１８mG，１８mBの出力電圧を設定したオフセット電圧ＶR，ＶG，ＶBになるように制御する。
【００５５】
ステップＳ４８の実行後は、設定した逆バイアス電圧Ｖcc、オフセット電圧ＶR，ＶG，ＶB及び駆動電流ＩR，ＩG，ＩBをメモリ２０に記憶させる（ステップＳ５１）。
データ入力部１９の明るさ調整レバーの操作によってステップＳ４３において例えば、赤色、緑色及び青色発光用のＥＬ素子の両端電圧ＶｅR，ＶｅG，ＶｅBがＶｅR＝３０(Ｖ)，ＶｅG＝２９(Ｖ)，ＶｅB＝２６(Ｖ)と設定され、ステップＳ４５にてこれらの両端電圧ＶｅR，ＶｅG，ＶｅB各々と逆バイアス電圧Ｖcc＝２０(Ｖ)との差がオフセット電圧ＶR，ＶG，ＶBとして算出されると、ＶR＝１０(Ｖ)，ＶG＝９(Ｖ)，ＶB＝６(Ｖ)となる。上記したように赤色の許容範囲ＶLLR〜ＶHLRは−５(Ｖ)〜３(Ｖ)、緑色の許容範囲ＶLLG〜ＶHLGは−５(Ｖ)〜２(Ｖ)、青色の許容範囲ＶLLB〜ＶHLBは−５(Ｖ)〜１(Ｖ)であるならば、ステップＳ４５で算出されたオフセット電圧はいずれも許容範囲外である。よって、ステップＳ４９にて各オフセット電圧ＶR，ＶG，ＶB及び逆バイアス電圧Ｖccの再設定が行われ、両端電圧ＶｅR，ＶｅG，ＶｅBの各電圧レベルを比較して２番目に高い電圧ＶｅG＝２９(Ｖ)が逆バイアス電圧Ｖccとして再設定される。各オフセット電圧ＶR，ＶG，ＶBはＶR＝１(Ｖ)，ＶG＝０(Ｖ)，ＶB＝−３(Ｖ)と再設定される。
【００５６】
発光制御回路１２は、データ入力部１９の色合い調整レバーをユーザが操作したときにそのときの輝度データに応じて色合い調整ルーチンを実行する。この色合い調整ルーチンにおいては、図１６に示すように先ず、データ入力部１９から出力された赤色、緑色及び青色各々の輝度データを読み取り（ステップＳ６１）、赤色、緑色及び青色各々の輝度データに対応する駆動電流ＩR，ＩG，ＩBをデータテーブル検索して設定し（ステップＳ６２）、更に、駆動電流ＩR，ＩG，ＩBに対応する赤色、緑色及び青色発光用のＥＬ素子の両端電圧ＶｅR，ＶｅG，ＶｅBをデータテーブル検索して設定する（ステップＳ６３）。ステップＳ６２及びＳ６３の動作はステップＳ３３及びＳ３４と同一である。
【００５７】
発光制御回路１２は、メモリ２０に記憶された逆バイアス電圧Ｖccを読み出し（ステップＳ６４）、ステップＳ６３の両端電圧ＶｅR，ＶｅG，ＶｅBと読み出した逆バイアス電圧Ｖccとを用いてオフセット電圧ＶR，ＶG，ＶBを算出する（ステップＳ６５）。すなわち、オフセット電圧はＶR＝ＶｅR−Ｖcc，ＶG＝ＶｅG−Ｖcc，ＶB＝ＶｅB−Ｖccのように算出される。
【００５８】
発光制御回路１２は、算出した各オフセット電圧ＶR，ＶG，ＶBが所定の許容範囲内の電圧であるか否かを判別する（ステップＳ６６）。オフセット電圧はクロストーク発光しないように設定する必要があるので、赤色の許容範囲ＶLLR〜ＶHLR、緑色の許容範囲ＶLLG〜ＶHLG、青色の許容範囲ＶLLB〜ＶHLBに各々制限されている。各オフセット電圧ＶR，ＶG，ＶBが対応する所定の許容範囲ＶLLR〜ＶHLR，ＶLLG〜ＶHLG，ＶLLB〜ＶHLB内にあるならば、メモリ２０に記憶された両端電圧ＶｅR，ＶｅG，ＶｅBのうちの２番目に高い両端電圧が変化したか否かを判別する（ステップＳ６７）。すなわち、メモリ２０に記憶されている前回の両端電圧ＶｅR，ＶｅG，ＶｅBのうちの２番目に高い電圧となっていた色用のＥＬ素子の両端電圧が今回のステップＳ６３の両端電圧ＶｅR，ＶｅG，ＶｅBの設定で異なる電圧に変化したか否かが判別される。前回の両端電圧ＶｅR，ＶｅG，ＶｅBのうちの２番目に高い電圧となっていた色用のＥＬ素子の両端電圧が変化していないならば、その色用のＥＬ素子の両端電圧は今回も２番目に高い電圧であるか否かを判別する（ステップＳ６８）。すなわち、前回の両端電圧ＶｅR，ＶｅG，ＶｅBのうちの２番目に高い電圧と、今回の両端電圧ＶｅR，ＶｅG，ＶｅBのうちの２番目に高い電圧とが同一色のＥＬ素子の両端電圧であるか否かが判別される。
【００５９】
ステップＳ６８の判別結果、前回２番目に高い電圧となった色用のＥＬ素子の両端電圧が今回も２番目に高い電圧であるならば、設定した駆動電流ＩR，ＩG，ＩBになるように可変電流源１７1R，１７1G，１７1B〜１７mR，１７mG，１７mBを制御し（ステップＳ６９）、また可変電圧源１８1R，１８1G，１８1B〜１８mR，１８mG，１８mBの出力電圧を設定したオフセット電圧ＶR，ＶG，ＶBになるように制御する（ステップＳ７０）。
【００６０】
ステップＳ６６の判別結果、各オフセット電圧ＶR，ＶG，ＶBが所定の許容範囲内の電圧ではない場合、ステップＳ６７の判別結果、前回の両端電圧ＶｅR，ＶｅG，ＶｅBのうちの２番目に高い電圧となっていた色用のＥＬ素子の両端電圧が変化した場合、又はステップＳ６８の判別結果、前回２番目に高い電圧となった色用のＥＬ素子の両端電圧が今回は２番目に高い電圧ではない場合には、各オフセット電圧ＶR，ＶG，ＶBが対応する所定の電圧範囲ＶLLR〜ＶHLR，ＶLLG〜ＶHLG，ＶLLB〜ＶHLB内の電圧になるように逆バイアス電圧Ｖcc及び各オフセット電圧ＶR，ＶG，ＶBを再設定する（ステップＳ７１）。このステップＳ７１による逆バイアス電圧Ｖccの再設定は上記のステップＳ３５の場合と同様の方法で行われ、各オフセット電圧ＶR，ＶG，ＶBの再設定はステップＳ３６の場合と同様の方法で行われる。
【００６１】
発光制御回路１２はステップＳ７１の実行後、可変電圧源２１1〜２１nの出力電圧を設定した逆バイアス電圧Ｖccになるように制御し（ステップＳ７２）、ステップＳ６９に進んで設定した駆動電流ＩR，ＩG，ＩBになるように可変電流源１７1R，１７1G，１７1B〜１７mR，１７mG，１７mBを制御し、その後、ステップＳ７０に進んで可変電圧源１８1R，１８1G，１８1B〜１８mR，１８mG，１８mBの出力電圧を設定したオフセット電圧ＶR，ＶG，ＶBになるように制御する。
【００６２】
ステップＳ７０の実行後は、設定した逆バイアス電圧Ｖcc、オフセット電圧ＶR，ＶG，ＶB及び駆動電流ＩR，ＩG，ＩBをメモリ２０に記憶させる（ステップＳ７３）。
データ入力部１９の色合い調整レバーの操作によってステップＳ６３において例えば、赤色、緑色及び青色発光用のＥＬ素子の両端電圧ＶｅR，ＶｅG，ＶｅBがＶｅR＝２３(Ｖ)，ＶｅG＝２０(Ｖ)，ＶｅB＝２１(Ｖ)と設定され、ステップＳ６５にてこれらの両端電圧ＶｅR，ＶｅG，ＶｅB各々と逆バイアス電圧Ｖcc＝２０(Ｖ)との差がオフセット電圧ＶR，ＶG，ＶBとして算出されると、ＶR＝３(Ｖ)，ＶG＝０(Ｖ)，ＶB＝１(Ｖ)となる。上記したように赤色の許容範囲ＶLLR〜ＶHLRは−５(Ｖ)〜３(Ｖ)、緑色の許容範囲ＶLLG〜ＶHLGは−５(Ｖ)〜２(Ｖ)、青色の許容範囲ＶLLB〜ＶHLBは−５(Ｖ)〜１(Ｖ)であるならば、ステップＳ６５で算出されたオフセット電圧はいずれも許容範囲内である。前回の両端電圧ＶｅR，ＶｅG，ＶｅBがＶｅR＝２２(Ｖ)，ＶｅG＝２０(Ｖ)，ＶｅB＝１８(Ｖ)であったならば、前回の２番目に高い電圧は緑色用のＥＬ素子の両端電圧であるＶｅGである。ところが、今回の２番目に高い電圧は青色用のＥＬ素子の両端電圧であるＶｅBである。よって、ステップＳ６１にて各オフセット電圧ＶR，ＶG，ＶB及び逆バイアス電圧Ｖccの再設定が行われ、両端電圧ＶｅR，ＶｅG，ＶｅBの各電圧レベルを比較して２番目に高い電圧ＶｅB＝２１(Ｖ)が逆バイアス電圧Ｖccとして再設定される。各オフセット電圧ＶR，ＶG，ＶBはＶR＝２(Ｖ)，ＶG＝−１(Ｖ)，ＶB＝０(Ｖ)と再設定される。
【００６３】
上記したオフセット電圧ＶR，ＶG，ＶB各々の所定の許容範囲ＶLLR〜ＶHLR，ＶLLG〜ＶHLG，ＶLLB〜ＶHLBは適宜設定される。ＶHLR，ＶHLG，ＶHLBの上限値は発光閾値電圧ＶthR，ＶthG，ＶthBであり、オフセット電圧が発光閾値電圧を越えると、リセット期間中に微発光したり、走査されていない陰極線上のＥＬ素子がクロストーク発光する可能性がある。ＶLLR，ＶLLG，ＶLLBの下限値には特に制限がない。ただし、電力効率を考慮した場合には適当な範囲に設定することが望ましい。すなわち、走査されていない陰極線と駆動されている陽極線との交差部分に位置するＥＬ素子の寄生容量には、オフセット電圧に対応して発光に寄与しない無効な電荷が充電されるので、この電荷量を少なくするためには適当な範囲で下限値を設定した方が良い。
【００６４】
赤色、緑色及び青色各々の所定の許容範囲ＶLLR〜ＶHLR，ＶLLG〜ＶHLG，ＶLLB〜ＶHLBを満たす逆バイアス電圧Ｖccを設定することができない場合には、両端電圧ＶｅR，ＶｅG，ＶｅBが最大の色用のＥＬ素子の発光閾値電圧を越えない限界値に逆バイアス電圧Ｖccを設定することが行われる。
上記した発光表示パネルの各ＥＬ素子は長時間発光させると劣化してＶ−Ｉ特性が変化する。例えば、合計の発光時間が短い場合には図１７に示すようにＶ−Ｉ特性であるが、合計の発光時間が長くなると、図１８に示すようにＥＬ素子の両端電圧Ｖの同一値に対する電流Ｉが全体的に低下し、電流Ｉに比例する輝度Ｌも低下する。そこで、合計の発光時間を計測し、発光時間に応じてＶ−Ｉ特性を適宜測定してデータテーブルを補償することが考えられる。測定では所定の電流値間隔でＥＬ素子に電流を流してそのときの両端電圧を検出し、補償するための係数を算出すれば良い。
【００６５】
上記した実施例においては、駆動電流ＩR，ＩG，ＩBに対応する赤色、緑色及び青色発光用のＥＬ素子の両端電圧ＶｅR，ＶｅG，ＶｅBをデータテーブル検索して設定しているが、駆動電流−両端電圧特性を示す関数式を赤色、緑色及び青色毎に記憶しておき、その関数式を用いてＥＬ素子の両端電圧ＶｅR，ＶｅG，ＶｅBを算出しても良い。
【００６６】
また、発光すべきＥＬ素子に駆動電流を電流源から供給しているが、ＥＬ素子に順方向に発光閾値電圧より若干高い電圧が印加されるように電圧源から電位を現駆動ドライブ線に与えるようにしても良い。
【００６７】
【発明の効果】
以上の如く、本発明によれば、走査期間に発光色が異なる各々の容量性発光素子の両端電圧が所望の電圧に達するまでに変化する電圧を等しくすることができる故、発光色が互いに異なる容量性発光素子各々の発光の立ち上がり特性を改善することができ、色合い調整等の発光輝度の調整を行った場合でも色ずれを防止することができる。
【図面の簡単な説明】
【図１】有機エレクトロルミネッセンス素子の断面を示す図である。
【図２】有機エレクトロルミネッセンス素子の等価回路を示す図である。
【図３】有機エレクトロルミネッセンス素子の駆動電圧−電流−発光輝度特性を概略的に示す図である。
【図４】従来の駆動装置の発光制御動作を説明するためのブロック図である。
【図５】従来の駆動装置の発光制御動作を説明するためのブロック図である。
【図６】従来の駆動装置の発光制御動作を説明するためのブロック図である。
【図７】本発明を適用したディスプレイ装置の概略的構成を示すブロック図である。
【図８】図７の装置中の陰極線走査回路、陽極線ドライブ回路及び発光表示パネルの構成を具体的に示す図である。
【図９】発光制御ルーチンを示すフローチャートである。
【図１０】走査期間の発光制御動作を説明するためのブロック図である。
【図１１】リセット期間の発光制御動作を説明するためのブロック図である。
【図１２】次の走査期間の発光制御動作を説明するためのブロック図である。
【図１３】初期設定ルーチンを示すフローチャートである。
【図１４】明るさ調整ルーチンを示すフローチャートである。
【図１５】データテーブルを示す図である。
【図１６】色合い調整ルーチンを示すフローチャートである。
【図１７】合計発光時間が短い場合のＥＬ素子の電圧Ｖ−電流Ｉ特性を示す図である。
【図１８】合計発光時間が長い場合のＥＬ素子の電圧Ｖ−電流Ｉ特性を示す図である。
【符号の説明】
１，１３  陰極線走査回路
２，１４  陽極線ドライブ回路
２1R，２1G，２1B〜２mR，２mG，２mB、１７1R，１７1G，１７1B〜１７mR，１７mG，１７mB   電流源
４，１２  発光制御回路
５1 〜５n、１５1 〜１５n   走査スイッチ
６1R，６1G，６1B〜６mR，６mG，６mB、１６1R，１６1G，１６1B〜１６mR，１６mG，１６mB  ドライブスイッチ
１８1R，１８1G，１８1B〜１８mR，１８mG，１８mB、２１1 〜２１n  可変電圧源
１１  発光表示パネル
Ａ1R，Ａ1G，Ａ1B〜ＡmR，ＡmG，ＡmB  陽極線
Ｂ1 〜Ｂn  陰極線
Ｅ1R,1，Ｅ1G,1，Ｅ1B,1〜ＥmR,n，ＥmG,n，ＥmB,n  有機エレクトロルミネッセンス素子
【図１】
0003646917.tif 000002
【図２】
0003646917.tif 000003
【図３】
0003646917.tif 000004
【図４】
0003646917.tif 000005
【図５】
0003646917.tif 000006
【図６】
0003646917.tif 000007
【図７】
0003646917.tif 000008
【図８】
0003646917.tif 000009
【図９】
0003646917.tif 000010
【図１０】
0003646917.tif 000011
【図１１】
0003646917.tif 000012
【図１２】
0003646917.tif 000013
【図１３】
0003646917.tif 000014
【図１４】
0003646917.tif 000015
【図１５】
0003646917.tif 000016
【図１６】
0003646917.tif 000017
【図１７】
0003646917.tif 000018
【図１８】
0003646917.tif 000019